(57)【特許請求の範囲】
【請求項１】
雄側接続端子が雄ハウジング内に配置された雄コネクタと、雌側接続端子が雌ハウジング内に配置された雌コネクタと、前記雄ハウジングと前記雌ハウジングとが離間する方向への移動を規制する規制部材とを備え、前記雄ハウジングと前記雌ハウジングとの嵌合により前記雄側接続端子と前記雌側接続端子とが接続されるコネクタ嵌合構造であって、
前記雄ハウジングは、前記雄側接続端子を収容する本体部の外面に、前記雌ハウジングとの嵌合方向に対して交差する方向に延びる凹部を有し、
前記規制部材は、前記凹部に挿入されて固定される軸部と、前記軸部の一端に形成された頭部とを有し、
前記雄ハウジングが前記雌ハウジングに収容されているものの、前記雄ハウジングと前記雌ハウジングとが嵌合されていない状態では、前記凹部の少なくとも一部が前記雌ハウジングに遮蔽されており、
前記雌ハウジングには、前記雌ハウジングが前記雄ハウジングと嵌合されたときのみ、前記凹部全体を前記雌ハウジングに遮蔽されない状態とし、前記嵌合方向と交差する方向に前記凹部と連通して前記規制部材の前記軸部を挿通させると共に前記頭部を収容することが可能となる貫通孔が形成されている、
コネクタ嵌合構造。
【請求項２】
前記凹部は、前記雄ハウジングと前記雌ハウジングとの嵌合方向に交差する方向に延びるねじ孔であり、
前記規制部材の前記軸部には、前記ねじ孔に螺合するねじ山が形成されている、
請求項１に記載のコネクタ嵌合構造。
【請求項３】
前記規制部材は、当該規制部材を回動させるための工具が係合する係合部の形状が、プラスドライバ、マイナスドライバ、又は六角レンチによる回動を阻止し得る形状である、
請求項１又は２に記載のコネクタ嵌合構造。
【発明の詳細な説明】
【技術分野】
【０００１】
本発明は、雄コネクタと雌コネクタとのコネクタ嵌合構造に関し、特にボルト締め式のコネクタ嵌合構造に関する。
【背景技術】
【０００２】
従来、雄コネクタ側の雄側ハウジングと雌コネクタの雌側ハウジングとをボルトの締め付けによって嵌合させるボルト締め式のコネクタ嵌合構造が知られている（特許文献１参照）。
【０００３】
特許文献１に記載のボルト締め式のコネクタ嵌合構造は、雌側ハウジングに回転可能に支持されたボルトを、雄側ハウジングに設けられたナット部に螺合することで、雄コネクタと雌コネクタとを嵌合させるように構成されている。このボルトの中心軸及びナット部の延伸方向は、雄コネクタと雌コネクタとの嵌合方向に平行である。
【先行技術文献】
【特許文献】
【０００４】
【特許文献１】特開２０１１−８６４６１号公報
【特許文献２】特開２０１１−１１３９４４号公報
【発明の概要】
【発明が解決しようとする課題】
【０００５】
このボルト締め式のコネクタ嵌合構造では、雄コネクタと雌コネクタとの嵌合が不完全な状態でも、すなわちボルトの締め付けが不完全であっても、コネクタの外観から直ちにそのことを認識することができない。従って、嵌合が適切になされているか否かを確認するためには、ボルトをドライバ等により回転させて、ボルトのゆるみがないかを調べる等の必要があった。
【０００６】
本発明は、上記の事情に鑑みてなされたものであり、即ちボルト締め式のコネクタ嵌合構造ならではの課題を解決するものであり、その目的とするところは、雄ハウジングと雌ハウジングとが不完全な嵌合状態で固定されることを抑制すると共に、嵌合が適切になされているか否かを外観から判断することが可能なコネクタ嵌合構造を提供することにある。
【課題を解決するための手段】
【０００７】
本発明は、上記課題を解決することを目的として、雄側接続端子が雄ハウジング内に配置された雄コネクタと、雌側接続端子が雌ハウジング内に配置された雌コネクタと、前記雄ハウジングと前記雌ハウジングとが離間する方向への移動を規制する規制部材とを備え、前記雄ハウジングと前記雌ハウジングとの嵌合により前記雄側接続端子と前記雌側接続端子とが接続されるコネクタ嵌合構造であって、前記雄ハウジングは、前記雄側接続端子を収容する本体部の外面に、前記雌ハウジングとの嵌合方向に対して交差する方向に延びる凹部を有し、前記規制部材は、前記凹部に挿入されて固定される軸部と、前記軸部の一端に形成された頭部とを有し、前記雄ハウジングが前記雌ハウジングに収容されているものの、前記雄ハウジングと前記雌ハウジングとが嵌合されていない状態では、前記凹部の少なくとも一部が前記雌ハウジングに遮蔽されており、前記雌ハウジングには、前記雌ハウジングが前記雄ハウジングと嵌合されたときのみ、前記凹部全体を前記雌ハウジングに遮蔽されない状態とし、前記嵌合方向と交差する方向に前記凹部と連通して前記規制部材の前記軸部を挿通させると共に前記頭部を収容することが可能となる貫通孔が形成されている、コネクタ嵌合構造を提供する。
【０００８】
また、前記凹部は、前記雄ハウジングと前記雌ハウジングとの嵌合方向に交差する方向に延びるねじ孔であり、前記規制部材の前記軸部には、前記ねじ孔に螺合するねじ山が形成されているとよい。
【０００９】
また、前記規制部材は、当該規制部材を回動させるための工具が係合する係合部の形状が、プラスドライバ、マイナスドライバ、又は六角レンチによる回動を阻止し得る形状であるとよい。
【発明の効果】
【００１０】
本発明に係るコネクタ嵌合構造によれば、雄ハウジングと雌ハウジングとが不完全な嵌合状態で固定されることを抑制すると共に、嵌合が適切になされているか否かを外観から判断することが可能となる。
【図面の簡単な説明】
【００１１】
【図１】本発明の実施の形態に係るコネクタ装置の構成例を抜け止め部材としてのボルトと共に示し、（ａ）は嵌合前の状態を、（ｂ）は嵌合後の状態を示す斜視図である。
【図２】雄コネクタの構成例を示し、（ａ）は上面部、（ｂ）は左側面図、（ｃ）は正面図、（ｄ）は右側面図、（ｅ）は（ｂ）のＡ−Ａ線断面図である。
【図３】ナット部材の構成例を示す斜視図である。
【図４】雌コネクタの構成例を示し、（ａ）は上面部、（ｂ）は左側面図、（ｃ）は正面図、（ｄ）は右側面図、（ｅ）は（ｂ）のＢ−Ｂ線断面図である。
【図５】ボルトの構成例を示す斜視図である。
【図６】雄コネクタと雌コネクタとを嵌合した状態のコネクタ装置の嵌合構造を示し、（ａ）は上面図、（ｂ）は（ａ）のＣ−Ｃ線断面図、（ｃ）は（ｂ）の部分拡大図である。
【図７】雄ハウジングと雌ハウジングとの嵌合及び抜け止め作業の手順を示し、（ａ）は嵌合前の状態を、（ｂ）は嵌合途中の状態を、（ｃ）は嵌合が完了した状態を、（ｄ）はボルトがナット部材に固定された状態を、それぞれ示す説明図である。
【図８】（ａ）は実施の形態に係るボルトの係合部の形状を示す平面図、（ｂ）〜（ｆ）は係合部の形状の変形例を示す平面図である。
【発明を実施するための形態】
【００１２】
［実施の形態］
本発明の本実施の形態、及びその変形例について、図１〜図８を参照して説明する。
【００１３】
図１は、本発明の実施の形態に係るコネクタ装置の構成例を規制部材としてのボルトと共に示し、（ａ）は嵌合前の状態を、（ｂ）は嵌合後の状態を示す斜視図である。
【００１４】
このコネクタ装置１は、例えば車両の駆動源としての電気モータとインバータとの間の電気配線を中継し、電気モータにトルクを発生させるための電流を供給するために用いられる。
【００１５】
このコネクタ装置１は、雄コネクタ２と、雌コネクタ３とを備えている。雄コネクタ２は、雄ハウジング２０と、雄ハウジング２０内に配置された雄側接続端子２１ａ，２１ｂ（後述）とを有している。雌コネクタ３は、雌ハウジング３０と、雌ハウジング３０内に配置された雌側接続端子３１ａ，３１ｂ（後述）とを有している。雄ハウジング２０及び雌ハウジング３０は、例えばＰＢＴ（ポリブチレンテレフタレート）等の絶縁性の樹脂からなる。
【００１６】
雄ハウジング２０は、その外面の一部が雌ハウジング３０に収容されて、雌ハウジング３０と嵌合する。また、雄ハウジング２０と雌ハウジング３０とは、規制部材としてのボルト４によって抜け止めされる。ボルト４、及びボルト４を用いた抜け止め機構の構成の詳細については後述する。
【００１７】
（雄コネクタ２の構成）
図２は、雄コネクタ２の構成例を示し、（ａ）は上面部、（ｂ）は左側面図、（ｃ）は正面図、（ｄ）は右側面図、（ｅ）は（ｂ）のＡ−Ａ線断面図である。
【００１８】
雄ハウジング２０は、雄側接続端子２１ａ，２１ｂ、及び雄側接続端子２１ａ，２１ｂにそれぞれ接続された電線２２ａ，２２ｂの一端部を収容する本体部２０ａと、本体部２０ａの外面に配置されたナット部材２３と、本体部２０ａと一体に形成され、ナット部材２３を保持する保持部２０ｂとを有している。また、雄側接続端子２１ａ，２１ｂは、先端部が平板状に形成されている。
【００１９】
本体部２０ａの一端は閉塞部材２０ａ１によって閉塞されている。閉塞部材２０ａ１は、電線２２ａ，２２ｂを挿通させる２つの挿通孔が形成され、電線２２ａ，２２ｂを保持している。閉塞部材２０ａ１の内側には、電線２２ａ，２２ｂと本体部２０ａとの間を封止するシール部材２４が配置されている。
【００２０】
保持部２０ｂは、本体部２０ａの外面に立設して互いに対向し、雄ハウジング２０と雌ハウジング３０との嵌合方向（図１（ａ）に示す矢印Ｄ１，Ｄ２方向。以下、単に「嵌合方向」という。）に平行に延びる一対の側壁２０ｂ１，２０ｂ２と、一対の側壁２０ｂ１，２０ｂ２のそれぞれの一端を連結する橋架部２０ｂ３と、一対の側壁２０ｂ１，２０ｂ２のそれぞれの他端を連結する橋架部２０ｂ４とからなる。
【００２１】
図３は、ナット部材２３の構成例を示す斜視図である。ナット部材２３は、嵌合方向が長手方向となるように形成された直方体状である。ナット部材２３の上面２３ａ（保持部２０ｂに保持されたときに、雄ハウジング２０の本体部２０ａの外面に対向する下面２３ｂの反対側の面）には、嵌合方向に交差する方向に突出した突起２３ａ１が形成されている。このナット部材２３は、例えばアルミニウムや鉄系の金属材料からなる。
【００２２】
また、ナット部材２３には、上面２３ａから下面２３ｂ側に向かって延びる凹部としてのねじ孔２３ｃが形成されている。ねじ孔２３ｃの内面には雌ねじが形成されている。本実施の形態では、ねじ孔２３ｃが、上面２３ａから下面２３ｂまで貫通し、嵌合方向に直交して交差する方向に延びるように形成されている。
【００２３】
また、ナット部材２３の長手方向の一端には、段部２３ｄが形成されている。ナット部材２３は、段部２３ｄよりも下面２３ｂ側の部分の長手方向の長さが、段部２３ｄよりも上面２３ａ側の部分の長手方向の長さに比較して長く形成されている。段部２３ｄにおける段差面２３ｄ１は、上面２３ａ及び下面２３ｂに平行に形成されている。
【００２４】
図２（ｅ）に示すように、ナット部材２３が保持部２０ｂに保持されると、段差面２３ｄ１が橋架部２０ｂ３に対向し、上面２３ａが橋架部２０ｂ４に対向する。橋架部２０ｂ３は、段部２３ｄに当接してナット部材２３の長手方向一側（雌ハウジング３０に対向する側）への移動を規制している。また、上面２３ａに形成された突起２３ａ１が橋架部２０ｂ４に係止され、この係止によってナット部材２３の長手方向他側（電線２２ａ，２２ｂ側）への移動が規制されている。
【００２５】
ナット部材２３は、段部２３ｄが雄ハウジング２０の本体部２０ａと橋架部２０ｂ４との間を通過するように一対の側壁２０ｂ１，２０ｂ２の間に挿入され、突起２３ａ１が橋架部２０ｂ４に係止されることで保持部２０ｂに保持される。
【００２６】
（雌コネクタ３の構成）
図４は、雌コネクタ３の構成例を示し、（ａ）は上面部、（ｂ）は左側面図、（ｃ）は正面図、（ｄ）は右側面図、（ｅ）は（ｂ）のＢ−Ｂ線断面図である。
【００２７】
雌ハウジング３０は、雌側接続端子３１ａ，３１ｂ、及び雌側接続端子３１ａ，３１ｂにそれぞれ接続された電線３２ａ，３２ｂの一端部を収容する本体部３０ａと、雄ハウジング２０の一部を収容するカバー部３０ｂとを有している。なお、カバー部３０ｂが雄ハウジング２０の全体を収容するようにしてもよい。雌側接続端子３１ａ，３１ｂは、雄側接続端子２１ａ，２１ｂと接触する先端部が、雄側接続端子２１ａ，２１ｂを収容する筒状に形成されている。
【００２８】
本体部３０ａの一端は閉塞部材３０ａ１によって閉塞されている。閉塞部材３０ａ１は、電線３２ａ，３２ｂを挿通させる２つの挿通孔が形成され、電線３２ａ，３２ｂを保持している。閉塞部材３０ａ１の内側には、電線３２ａ，３２ｂと本体部３０ａとの間を封止するシール部材３３が配置されている。
【００２９】
カバー部３０ｂには、雌ハウジング３０が雄ハウジング２０と嵌合されたときにナット部材２３のねじ孔２３ｃに連通する貫通孔３０ｃが形成されている。より具体的には、貫通孔３０ｃは、雌ハウジング３０と雄ハウジング２０との嵌合が完了したときに、ねじ孔２３ｃと中心軸を一致させて連通する位置に形成されている。ここで、ここで、嵌合が完了した状態とは、雄ハウジング２０と雌ハウジング３０とが嵌合方向に互いに突き当たるまで相対移動した状態をいう。
【００３０】
また、貫通孔３０ｃは、ねじ孔２３ｃの内径（谷の径）よりも大きな内径を有する丸孔に形成されている。つまり、雄ハウジング２０と雌ハウジング３０との嵌合が完了した状態で、カバー部３０ｂの外部からねじ孔２３ｃの全体を臨むことが可能である。
【００３１】
（ボルト４の構成）
図５は、ボルト４の構成例を示す斜視図である。
【００３２】
ボルト４は、ねじ孔２３ｃに挿入されてナット部材２３に固定される軸部としてのねじ部４１と、ねじ部４１の一端に形成された頭部４２とを有している。頭部４２には、ボルト４を回動させるための工具が係合する係合部４３が形成されている。頭部４２は、ねじ部４１の外径よりも大径の円柱状に形成されている。ボルト４は、例えばアルミニウムや鉄系の金属材料からなる。なお、頭部４２の外径は、ねじ部４１の外径と同等、又はねじ部４１の外径よりも小さくともよい。
【００３３】
ねじ部４１の外周面には、ねじ孔２３ｃのねじピッチ及び内径に対応する螺旋状のねじ山４１ａが形成されている。本実施の形態では、ねじ部４１の中心軸Ｃ方向の長さがねじ孔２３ｃの深さと同等に形成されているが、ねじ部４１の長さは、ねじ孔２３ｃの深さより短くてもよい。
【００３４】
頭部４２の一端面４２ａ（ねじ部４１とは反対側の端面）には、汎用工具による回動を阻止し得る形状の係合部４３が形成されている。ここで、汎用工具とは、例えばプラスドライバ（十字ねじ回し：ＪＩＳＢ４６３３参照）、マイナスドライバ（すりわり付きねじ用ねじ回し：ＪＩＳＢ４６０９参照）、又は六角レンチ（六角棒スパナ：ＪＩＳＢ４６４８参照）等、工具先端部を被回動部材に形成された穴に差し込んで使用する工具、あるいはプライヤ等の対象物を挟持可能な工具であって、容易に入手可能なものをいう。
【００３５】
本実施の形態では、係合部４３が、ボルト４の中心軸Ｃに直交する断面における内面が四角形状で、中心軸Ｃ方向に所定の深さを有する角穴に形成されている。このボルト４は、係合部４３の形状に対応した四角柱状の先端部を有する専用工具によって回動させることが可能である。
【００３６】
（雄コネクタ２と雌コネクタ３との嵌合構造）
図６は、雄コネクタ２と雌コネクタ３とを嵌合した状態のコネクタ装置１の嵌合構造を示し、（ａ）は上面図、（ｂ）は（ａ）のＣ−Ｃ線断面図、（ｃ）は（ｂ）のＤ部の部分拡大図である。
【００３７】
雄側接続端子２１ａと雌側接続端子３１ａ、及び雄側接続端子２１ｂと雌側接続端子３１ｂは、雄ハウジング２０と雌ハウジング３０との嵌合により、それぞれ電気的に接続される。
【００３８】
雄コネクタ２と雌コネクタ３とが嵌合された状態において、雌ハウジング３０のカバー部３０ｂは、ナット部材２３の突起２３ａ１よりも段部２３ｄ側の部分を収容している。このカバー部３０ｂに収容される部分には、ねじ孔２３ｃが含まれる。
【００３９】
ボルト４は、ねじ部４１がナット部材２３のねじ孔２３ｃに螺合してナット部材２３に固定されている。ねじ部４１は、カバー部３０ｂの外面から雄ハウジング２０と雌ハウジング３０との嵌合方向に交差する方向（本実施の形態においては、嵌合方向に直交する方向）に貫通孔３０ｃを介してねじ孔２３ｃに挿入され、工具による回動によってねじ孔２３ｃに螺合している。
【００４０】
図６（ｃ）に示すように、貫通孔３０ｃの内径はボルト４の頭部４２の外径よりも僅かに大きく形成され、ボルト４の頭部４２は、そのねじ部４１側の一部が貫通孔３０ｃに収容されている。この状態で、頭部４２の外周面４２ｂは、貫通孔３０ｃの内面３０ｃ１と対向している。
【００４１】
ボルト４がナット部材２３に固定された状態で雄コネクタ２と雌コネクタ３とを反嵌合方向（図１（ａ）に示す矢印Ｄ３，Ｄ４方向）に相対移動させる外力が作用すると、頭部４２の外周面４２ｂと貫通孔３０ｃの内面３０ｃ１とが当接し、雄ハウジング２０と雌ハウジング３０との反嵌合方向への相対移動を規制する。これにより、雄ハウジング２０と雌ハウジング３０が離間する方向への移動が規制され、雄ハウジング２０と雌ハウジング３０との抜け止めがなされる。
【００４２】
このように、貫通孔３０ｃは、雌ハウジング３０が雄ハウジング２０と嵌合されたとき、ナット部材２３のねじ孔２３ｃと連通してボルト４の軸部４１を挿通させると共に、その内面３０ｃ１を頭部４２の外周面４２ｂに対向させて、頭部４２を収容することが可能となる。
【００４３】
（雄ハウジング２０と雌ハウジング３０の嵌合及び抜け止め作業手順）
次に、雄ハウジング２０（雄コネクタ２）と雌ハウジング３０（雌コネクタ３）との嵌合及び抜け止め作業手順の一例を図７を参照して説明する。
【００４４】
図７は、雄ハウジング２０と雌ハウジング３０との嵌合及び抜け止め作業の手順を示し、（ａ）は嵌合前の状態を、（ｂ）は嵌合途中の状態を、（ｃ）は嵌合が完了した状態を、（ｄ）はボルト４がナット部材２３に固定された状態を、それぞれ示す。図７（ｂ）〜（ｄ）では、雌ハウジング３０のカバー部３０ｂに覆われた部分のナット部材２３及び保持部２０ｂの輪郭を破線で示している。
【００４５】
まず、図７（ａ）に示すように、保持部２０ｂにナット部材２３が予め保持された雄ハウジング２０を、雌ハウジング３０のカバー部３０ｂの開口側に向き合わせる。
【００４６】
次に、図７（ｂ）に示すように、カバー部３０ｂの内側に雄ハウジング２０の一端を挿入する。この嵌合未完了状態では、ナット部材２３のねじ孔２３ｃの少なくとも一部がカバー部３０ｂにより遮蔽されている。
【００４７】
次に、図７（ｃ）に示すように、雄ハウジング２０と雌ハウジング３０との嵌合が完了すると、貫通孔３０ｃの中心部にねじ孔２３ｃが配置され、貫通孔３０ｃとねじ孔２３ｃとが連通する。つまり、貫通孔３０ｃの中心軸とねじ孔２３ｃの中心軸とがほぼ一致し、雌ハウジング３０の外方から貫通孔３０ｃを介してねじ孔２３ｃの全体を臨むことができる状態となる。
【００４８】
次に、図７（ｄ）に示すように、雄ハウジング２０と雌ハウジング３０との嵌合完了状態で、工具によってボルト４を回動させ、ねじ部４１をねじ孔２３ｃに螺合させる。これにより、ボルト４の頭部４２の一部が貫通孔３０ｃに収容され、雄ハウジング２０と雌ハウジング３０とが抜け止めされる。
【００４９】
（実施の形態の作用及び効果）
以上説明した本実施の形態によれば、以下のような作用及び効果が得られる。
【００５０】
（１）雌ハウジング３０は、雄ハウジング２０との嵌合途中の状態では、ねじ孔２３ｃの一部をカバー部３０ｂによって遮蔽するので、この状態でボルト４がナット部材２３に固定されることを防止することができる。また、貫通孔３０ｃ及びねじ孔２３ｃの中心がずれている場合には、ボルト４を固定しようとした作業者が貫通孔３０ｃとねじ孔２３ｃとのずれを容易に認識できるので、雄ハウジング２０と雌ハウジング３０との嵌合を完了させてからボルト４を固定する等の措置をとることができる。このように、雄ハウジング２０と雌ハウジング３０との嵌合が不十分な状態で、雄ハウジング２０及び雌ハウジング３０がボルト４によって固定されることを防ぐことが可能となる。
【００５１】
（２）ボルト４は、雄ハウジング２０と雌ハウジング３０との嵌合が適切になされていなければ、軸部４１をナット部材２３に固定し、かつ頭部４２を貫通孔３０ｃに収容させることができない。従って、ボルト４の頭部４２が雌ハウジング３０の貫通孔３０ｃに収容されて固定されていれば、雄ハウジング２０と雌ハウジング３０との嵌合がなされていると判断することができる。つまり、雄ハウジング２０と雌ハウジング３０とが十分に嵌合されているか否かをコネクタ装置１の外観から判断することができる。即ち、本実施の形態において、ボルト４は、雄ハウジング２０と雌ハウジング３０とが離間する方向への移動を規制する抜け止め機能を有する上に更に、嵌合が完全であるか否かをコネクタ装置１の外観から判断可能とする識別機能を有する。
【００５２】
（３）ボルト４がナット部材２３に固定されている状態では、雄コネクタ２と雌コネクタ３とを分離することができないので、雄コネクタ２と雌コネクタ３との不用意な抜脱を防止することができる。
【００５３】
（４）ボルト４のねじ部４１は、ねじ孔２３ｃに形成された雌ねじに螺合して固定されるので、雄コネクタ２と雌コネクタ３とを分離する際には、ボルト４を締め付け時とは逆方向に回動させることで、ボルト４を取り外すことができる。
【００５４】
（５）ボルト４の係合部４３は、汎用工具による回動を阻止し得る形状であるので、コネクタ装置１の分離作業を行うことが予定されていない使用者（例えば、コネクタ装置１が搭載された車両の使用者）によって分離作業が行われることを回避し得、感電事故や短絡事故等の発生を未然に防ぎ得る。
【００５５】
（６）ボルト４は、金属製のナット部材２３に固定されるので、例えば雄ハウジング２０の樹脂材料に雌ねじを形成し、この雌ねじにボルト４のねじ部４１を螺合させる場合に比較して、雄ハウジング２０の耐久性を高めることができる。
【００５６】
（７）ボルト４は、ねじ部４１に連続して形成された頭部４２の一部が貫通孔３０ｃに収容され、頭部４２の外周面４２ｂと貫通孔３０ｃの内面３０ｃ１との干渉によって雄ハウジング２０と雌ハウジング３０との抜け止めを行うので、例えばねじ部４１と頭部４２との間に円柱状の軸部が介在し、この軸部を貫通孔３０ｃの内面３０ｃ１に当接させて抜け止めを行う場合に比較して、ボルト４の突出量を抑制することが可能となり、コネクタ装置１の小型化に寄与することができる。
【００５７】
［実施の形態の変形例］
上記実施の形態では、ボルト４の係合部４３を断面四角形状の角穴に形成した場合について説明したが、これに限らず、上記の汎用工具による回動を阻止し得る形状であればよい。
【００５８】
図８は、係合部４３の形状の変形例を示す図であり、（ａ）は比較のために上記実施の形態に係るボルト４の係合部４３の形状を示す平面図、（ｂ）〜（ｆ）は係合部の形状の変形例を示す平面図である。
【００５９】
図８（ａ）に示すように、上記実施の形態に係るボルト４の頭部４２の一端面４２ａには、四角形状の角穴からなる係合部４３が形成されている。
【００６０】
図８（ｂ）は、第１の変形例に係るボルト４Ａを示す。このボルト４Ａは、頭部４２の一端面４２ａに垂直な方向からの平面視において、係合部４３Ａが三角形状の穴に形成されている。
【００６１】
図８（ｃ）は、第２の変形例に係るボルト４Ｂを示す。このボルト４Ｂは、頭部４２の一端面４２ａに垂直な方向からの平面視において、係合部４３Ｂが五角形状の穴に形成されている。
【００６２】
図８（ｄ）は、第３の変形例に係るボルト４Ｃを示す。このボルト４Ｃは、頭部４２の一端面４２ａに垂直な方向からの平面視において、係合部４３Ｃが６つの頂点を有する星形状の穴に形成されている。
【００６３】
図８（ｅ）は、第４の変形例に係るボルト４Ｄを示す。このボルト４Ｄは、頭部４２の一端面４２ａに垂直な方向からの平面視において、係合部４３Ｄが８つの頂点を有する星形状の穴に形成されている。
【００６４】
図８（ｆ）は、第５の変形例に係るボルト４Ｅを示す。このボルト４Ｅは、頭部４２の一端面４２ａに垂直な方向からの平面視において、係合部４３Ｅが頭部４２の外周部に形成された複数（３つ）の切欠き部からなる。
【００６５】
これらのボルト４Ａ〜４Ｅは、係合部４３Ａ〜４３Ｅの形状に対応した専用工具によって回動させることが可能である。
【００６６】
また、上記実施の形態においては、凹部としてナット部材２３のねじ孔２３ｃを適用したが、これに限定されず、雄ハウジング２０に直接凹部（ねじ孔）を形成してもよい。このようにすることで、部品点数の削減が可能となる。
【００６７】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００６８】
１…コネクタ装置、２…雄コネクタ、３…雌コネクタ、４，４Ａ〜４Ｅ…ボルト（規制部材）、２０…雄ハウジング、２０ａ…本体部、２０ａ１…閉塞部材、２０ｂ…保持部、２０ｂ１，２０ｂ２      …側壁、２０ｂ３，２０ｂ４…橋架部、２１ａ，２１ｂ…雄側接続端子、２２ａ，２２ｂ…電線、２３…ナット部材、２３ａ…上面、２３ａ１…突起、２３ｂ…下面、２３ｃ…ねじ孔（凹部）、２３ｄ…段部、２３ｄ１…段差面、２４…シール部材、３０…雌ハウジング、３０ａ…本体部、３０ａ１…閉塞部材、３０ｂ…カバー部、３０ｃ…貫通孔、３０ｃ１…内面、３１ａ，３１ｂ…雌側接続端子、３２ａ，３２ｂ…電線、３３…シール部材、４１…ねじ部（軸部）、４１ａ…ねじ山、４２…頭部、４２ａ…一端面、４２ｂ…外周面、４３，４３Ａ〜４３Ｅ…係合部
【図１】
0005866838.tif 000002
【図２】
0005866838.tif 000003
【図３】
0005866838.tif 000004
【図４】
0005866838.tif 000005
【図５】
0005866838.tif 000006
【図６】
0005866838.tif 000007
【図７】
0005866838.tif 000008
【図８】
0005866838.tif 000009